(57)【要約】【課題】摩擦音及び跳ね返り音を低減する軒樋吊具を提供する。【解決手段】本発明は、建物の鼻隠し板Ｗに取り付けられる取付部１１と、軒樋を支持する軒樋支持部１２とを備え、該軒樋支持部１２の基端部に軒樋１の一方の耳部を掛止させる基端側係止部１６が形成され、軒樋支持部１２の先端部に軒樋１の他方の耳部を係止させる先端側係止部１４が形成された軒樋吊具１０Ａであって、先端側係止部１４の前記耳部に当接させる側の係止壁面１４ａは、前記耳部との摩擦抵抗を低減させる凹所を備えていることを特徴とする。【選択図】図２
2012136903.tif 000002
【特許請求の範囲】
【請求項１】
建物の鼻隠し板に取り付けられる取付部と、軒樋を支持する軒樋支持部とを備え、該軒樋支持部の基端部に軒樋の一方の耳部を掛止させる基端側係止部が形成され、前記軒樋支持部の先端部に前記軒樋の他方の耳部を係止させる先端側係止部が形成された軒樋吊具であって、
前記先端側係止部の前記耳部に当接させる側の係止壁面は、前記耳部との摩擦抵抗を低減させる凹所を備えていることを特徴とする軒樋吊具。
【発明の詳細な説明】
【技術分野】
【０００１】
本発明は、家屋の軒先に軒樋を設置するための軒樋吊具に関する。
【背景技術】
【０００２】
一般に、軒樋吊具は、鼻隠し板に固定する取付部と、この取付部から突出し軒樋を支持する軒樋支持部とを備えて構成されており、軒樋支持部の基端側係止部と先端側係止部に、断面略Ｕ字状の軒樋の耳部を片方ずつ係止させて、軒樋を軒先に設置させるようになっている。
【０００３】
このような軒樋吊具は、軒樋の耳部を各係止部に係止させるため、風等の外力により軒樋が水平方向に揺動したり、捩れたりした際に、前記軒樋支持部が軒樋に追従して弾性変形し、更に軒樋が揺動すること等によって前記弾性変形が解かれた際に、該軒樋支持部が弾性復帰して、特に先端側の係止部と軒樋の耳部との間で摩擦音、及び跳ね返り音を発生させることがあり、家屋の居住者にとっての不快音の原因となっていた。
【０００４】
そこで、従来より、このような摩擦音及び跳ね返り音の発生を抑制するために、例えば下記特許文献１に記載された軒樋吊具が開発されている。
【０００５】
図５に示すように、特許文献１に記載された軒樋吊具１００は、取付部１０１に突設された軒樋支持部１０２の基端側に基端側係止部１０３を有し、同先端側に先端側係止部１０４を有して、これら基端側係止部１０３及び先端側係止部１０４に軒樋１１０の耳部１１１、１１２をそれぞれ係止できるようになっている。
【０００６】
また、この軒樋吊具１００は、先端側係止部１０４と、軒樋１１０との間に球体（図示せず）を介在させて、摩擦抵抗の低減を図っている。
【先行技術文献】
【特許文献】
【０００７】
【特許文献１】特開２００３−２６８９４０号公報
【発明の概要】
【発明が解決しようとする課題】
【０００８】
しかし、上記の軒樋吊具１００によれば、先端側係止部１０４の前面部１０４ａが軒樋１１０の耳部１１２の後面部１１２ｂに当接するため、摩擦抵抗が発生して摩擦音又は跳ね返り音が起こることがあり、このような摩擦音等の発生を抑制するのに更なる改良の余地があった。
【０００９】
また、軒樋吊具１００と軒樋１１０との摩擦抵抗を低減させるために球体が必要であるとともに、軒樋支持部１０２の先端に球体を支持するための支持構造を必要とし、軒樋吊具１００の構成が複雑となり、軒樋吊具１００の製作費用が嵩むという問題があった。
【００１０】
また更に、軒樋１１０の揺動時に、軒樋支持部１０２の先端部の角部が軒樋１１０の耳部１１２の内面と引っ掛かりやすく、該引っ掛かりによる摩擦音又は跳ね返り音が発生することがあるという問題があった。
【課題を解決するための手段】
【００１１】
本発明に係る軒樋吊具は、上記した課題を解決するべく、下記の手段を提供している。
すなわち、請求項１に係る軒樋吊具は、建物の鼻隠し板に取り付けられる取付部と、軒樋を支持する軒樋支持部とを備え、該軒樋支持部の基端部に軒樋の一方の耳部を掛止させる基端側係止部が形成され、前記軒樋支持部の先端部に前記軒樋の他方の耳部を係止させる先端側係止部が形成された軒樋吊具であって、前記先端側係止部の前記耳部に当接させる側の係止壁面は、前記耳部との摩擦抵抗を低減させる凹所を備えていることを特徴とする。
この軒樋吊具によれば、先端側係止部の軒樋の耳部に係止させる側の係止壁面が凹所を備えているため、該係止壁面と軒樋の耳部との接触面積が減少することにより、これら係止壁面と軒樋の耳部との間の摩擦抵抗が減少する。
【発明の効果】
【００１２】
本発明による軒樋吊具によれば、上記した解決手段によって下記の効果を奏する。
すなわち、本発明の軒樋吊具によれば、軒樋の耳部に係止させる先端側係止部の係止壁面に摩擦抵抗を低減させる凹所を備える構成としたため、軒樋が風等の外力によって揺動等した場合に、軒樋支持部が軒樋の変位に追従して弾性変形するのを抑えることができ、したがって軒樋支持部の弾性復帰時のストロークも小さくなり、これによって係止壁面と軒樋の耳部との摩擦音及び跳ね返り音を抑えることができ、居住者にとっての不快音を抑えられるという効果を奏する。
また、係止壁面に凹所を形成するというシンプルな構成であるため、摩擦抵抗を低減し、摩擦音及び跳ね返り音を抑えられる軒樋吊具の製作が簡便となり製作費用を抑えることが出来るという効果が得られる。
【図面の簡単な説明】
【００１３】
【図１】は、本発明の第１の実施形態として示した軒樋吊具に軒樋を吊下させた状態を示す一部を断面視した側面図である。
【図２】は、本発明の第１の実施形態として示した軒樋吊具の斜視図である。
【図３】は、図１に示した軒樋吊具の先端部の拡大図である。
【図４】は、本発明の第２の実施形態として示した軒樋吊具であり、（ａ）は、軒樋吊具の先端と軒樋の係合状態の一部を示す上面図であり、（ｂ）は、軒樋吊具が軒樋に追従しかけた状態の一部を示した上面図である。
【図５】は、従来の軒樋吊具を示す一部を断面視した側面図である。
【発明を実施するための形態】
【００１４】
以下、本発明に係る軒樋吊具の実施形態について、図１〜図３を参照して説明する。
図１は、本発明の第１の実施形態として示した軒樋吊具に軒樋を吊下させた状態を示す側面図であり、図２は、軒樋吊具の斜視図であり、図３は、図１に示した軒樋吊具の先端部の拡大図である。なお、本実施形態において、鼻隠し板の延在する方向を左右方向とし、鼻隠し板の板面に接近又は離間する方向、すなわちＸ−Ｙ方向を前後方向とし、鼻隠し板から離間する方向Ｘを前方、鼻隠し板側に接近する方向Ｙを後方と呼ぶ。
【００１５】
図１に示すように、軒樋１は、軒先Ｔの先端に沿ってその下方に配置されるものであり、左右方向に延在する底板２と、底板２の後方側の端縁２ａから立設した後面板３と、底板２の前方側の端縁２ｂから立設した前面板４とを備えている。
【００１６】
前面板４の上端部には、軒樋吊具１０Ａに係止させる前面側耳部５（他方の耳部）が設けられている。
この前面側耳部５は、前面板４の上端縁内面から後方Ｙに向けて突出した後、下方に折曲して形成された折返し部６と、折返し部６の下方において後方Ｙに向けて膨出した支持部７とを備えており、これら折返し部６と支持部７との間には溝部８が形成されている。ここで、溝部８は、その側面視したときの輪郭が半円弧状となるように形成されている。また、折返し部６は、溝部８の上方の一部を覆うように延出している。
この前面側耳部５は、前面板４の左右方向に延在している。
【００１７】
後面板３の上端部には、軒樋吊具１０Ａに係止される後面側耳部９（一方の耳部）が設けられている。この後面側耳部９は、後面板３の上端部の内面から前方Ｘに突出するように形成されているとともに、左右方向に延在している。
【００１８】
図２に示すように、軒樋吊具１０Ａは、鼻隠し板Ｗに固定される取付部１１と、該取付部１１から前方に向かって突出し、軒樋１を吊下させる軒樋支持部１２とを備えている。
【００１９】
取付部１１は、正面視略Ｔ字形の板状に形成されており、平坦面とされた取付面１１ａを鼻隠し板Ｗの前面に当接させ、ビス等の固定具（不図示）によって該鼻隠し板Ｗに固定されている。
【００２０】
軒樋支持部１２は、取付部１１の上部から前方に突出し、前後方向中央部が下方に湾曲して凹むように形成された上面視略短冊形の板状の上壁部１３と、この上壁部１３の先端部に形成された先端側係止部１４と、先端側係止部１４の下方から取付部１１に向けて延在する底面視略短冊形の板状の下壁部１５と、下壁部１５の基端側部に設けられた基端側係止部１６と、基端側係止部１６の上面から上方に向かって延出した後、屈曲して取付部１１に結合される基端壁部１７と、これら上壁部１３、下壁部１５及び基端壁部１７からこれらの内方に張り出すように形成された補強壁部１８とを備えている。
【００２１】
図３に示すように、先端側係止部１４は、上壁部１３の先端部を上方に屈曲させてフック状とされ、軒樋１の前面側耳部５の溝部８に係止するように形成されている。
また、先端側係止部１４の溝部８に当接する側の係止壁面１４ａは、その幅方向中央部１４ｓにおいて該溝部８の形状に沿って円筒面を半割にした形状、すなわち側面視円弧状に形成されているとともに、図２に示すように、幅方向両側部１４ｔ，１４ｔにおいて、中央部１４ｓの円筒の径を両端に向かうに従って縮径させた略半円錐台形状とされている。
ここで、幅方向両側部１４ｔ，１４ｔは、この先端側係止部１４が溝部８内に係止された状態において、溝部８の内面８ａから離間して図３に示す内面８ａとの間に空間を形成する逃げ面を構成している。
【００２２】
この係止壁面１４ａには、軒樋支持部１２の幅方向、すなわち左右方向に延在するように凹所を構成する複数の凹条部１９が形成されている。
凹条部１９は、係止壁面１４ａの上端部から下端部近傍に至るまで互いに平行に複数本形成されており、各凹条部１９，１９間は、先端が先鋭で左右方向に延在する突条２０，２０・・となっている。
【００２３】
この構成の下に、先端側係止部１４に軒樋１の前面側耳部５を係止させたときには、図３に示すように、係止壁面１４ａの幅方向中央部１４ｓの突条２０，２０・・の先端が溝部８の内壁面８ａと当接するようになっている。
【００２４】
図１に示すように、基端側係止部１６は、後面側耳部９を上面に係止させるよう後方側に突出した下壁部１５の端部である。
【００２５】
この軒樋吊具１０Ａは、塩化ビニル樹脂等の樹脂材料により、射出成形法等によって成型されている。
【００２６】
次に、軒樋１の軒樋吊具１０Ａへの取付方法、及び軒樋吊具１０Ａに軒樋１を吊下した際の作用について説明する。
まず、鼻隠し板Ｗの一端側から所定の間隔をおいて、複数の軒樋吊具１０Ａの取付部１１を鼻隠し板Ｗに配置し、ビス等で順次固定していく。
そして、図２に示すように軒樋吊具１０Ａを鼻隠し板Ｗの所定位置に固定したら、図１に示すように軒樋１の後面側耳部９を軒樋吊具１０Ａの基端側係止部１６に掛止させる。そして、この状態で、軒樋１の前面板４を弾性変形させて前方Ｘ側に傾け、前面側耳部５の溝部８を複数の軒樋吊具１０Ａ，１０Ａ・・の先端側係止部１４，１４・・に順次係止させて軒樋１の軒樋吊具１０Ａへの吊下が完了する。
【００２７】
上記のようにして軒樋吊具１０Ａ，１０Ａ・・に吊下された軒樋１は、軒樋１の前面側耳部５が軒樋吊具１０Ａの先端側係止部１４に係止し、軒樋１の後面側耳部９が軒樋吊具１０Ａの基端側係止部１６の上面に係止している。
この軒樋１に風等の外力が加わった場合には、軒樋１がその設置方向である左右方向に揺動したり、捩れたりすることがある。この場合、軒樋吊具１０Ａの軒樋支持部１２は軒樋１の変位に追従して移動しようとする。
【００２８】
しかしながら、この軒樋吊具１０Ａは、軒樋１の耳部５，９を係止させる先端側係止部１４及び基端側係止部１６のうち、特に先端側係止部１４の係止壁面１４ａに凹条部１９，１９・・を設けたため、軒樋１の軒樋支持部１２の追従を抑えることができる。すなわち、軒樋１が変位した場合であっても、溝部８の内面８ａに係止する係止壁面１４ａが凹条部１９，１９・・を備えており、しかもこの凹条部１９が、軒樋１が主に変位する方向である左右方向に形成され、更に、内面８ａに接触するのは左右方向に延在する突条２０，２０・・であり、突条２０，２０・・の先端が先鋭であることから、内面８ａと係止壁面１４ａとの相対移動時に生じる摩擦抵抗が極めて小さくなり、軒樋支持部１２の追従が抑えられることになる。
【００２９】
したがって、この軒樋吊具１０によれば、軒樋支持部１２が軒樋１の揺動に追従するのを効果的に抑制することができ、軒樋１の揺動によって軒樋支持部１２の弾性変形及び弾性復帰のストローク長を小さく抑えることが可能となり、溝部８の内面８ａと係止壁面１４ａとの間で生じる摩擦音及び跳ね返り音を抑えることができるという効果が得られる。
【００３０】
また、両側部１４ｔ，１４ｔの係止壁面１４ａ，１４ａは、先端側係止部１４が溝部８内に係止された状態を上面視した際に、その幅方向中央部から互いに離間する方向に傾斜する傾斜面とされ、かつ先端側係止部１４を軒樋支持部１２の突出方向と対向する側から見たときに、その上端中央部から左右両側端に向けて下る傾斜面とされている。
【００３１】
この両側部１４ｔ，１４ｔにおける係止壁面１４ａ，１４ａは、溝部８の内面８ａから離間して同内面８ａとの間に空間を形成する逃げ面を構成するため、軒樋１が左右方向に揺動した場合であっても、先端側係止部１４がＰ−Ｑ方向に追従しかけた際に両側部１４ｔ，１４ｔにおいて係止壁面１４ａと軒樋１の溝部８との間で隙間が形成され、また、軒樋支持部１２が軒樋１の捩れに伴いＲ−Ｗ方向に回転しようとしても、やはり両側端１４ｔ，１４ｔにおいて係止壁面１４ａと溝部８との間に隙間が形成されるため、軒樋支持部１２の角部が軒樋１の溝部８の内面８ａに引っ掛かって軒樋１の揺動に追従することによる摩擦音、又は追従した後に弾性復帰して跳ね返り音を発生させることを抑制することができるという効果が得られる。
【００３２】
また、係止壁面１４ａに凹条部１９，１９・・を形成するというシンプルな構成であるため、摩擦抵抗を低減し、摩擦音及び跳ね返り音を抑えられる軒樋吊具１０Ａの製作が簡便となり製作費用を抑えることが出来るという効果が得られる。
【００３３】
次に、本発明の第２の実施形態について図４を参照して説明する。本実施形態において、上述した軒樋吊具１０Ａと同一の構成については同一の符号を付しその説明を省略する。
図４（ａ）に示すように、第２の実施形態として示された軒樋吊具１０Bは、先端側係止部１４の係止壁面１４ａが略球面となるように形成されている。
【００３４】
軒樋吊具１０Bによれば、上述した第１の実施形態と同様の作用効果を奏するとともに、係止壁面１４ａの幅方向中央部１４ｓが膨出した形状、言い換えると略半球状とされているため、軒樋１の前面側耳部５を係止させる際に、係止壁面１４ａの幅方向中央部１４ｓの膨出した先端部が溝部８の壁面８ａに当接し、該先端部以外の部位は、係止壁面１４ａと溝部８との間で隙間が形成されている。従って、図４（ｂ）に示すように、軒樋１の揺動によって軒樋支持部１２が図２に示すＰ−Ｑ方向又はＲ−Ｗ方向に弾性変形しようとしても、軒樋１の溝部８の内面８ａに対し係止壁面１４ａの膨出した先端部周辺が溝部８の内面８ａとの係合から逃げて離間して位置する。すなわち、先端側係止部１４が溝部８の内面８ａに引っ掛からずに軒樋１の動きをかわして位置することになるため、係止壁面１４ａと軒樋１の溝部８との間の接触面積が小となり、このときの摩擦抵抗が減少する。また、この際、係止壁面１４ａが略半球形状に形成されているため、溝部８との摩擦が円滑となる。
したがって、軒樋１の揺動により軒樋吊具１０を追従させて摩擦音又は跳ね返り音を発生させることをより一層効果的に低減することができるという効果が得られる。
【００３５】
なお、上記の各実施の形態においては、係止壁面１４ａに設ける凹所を凹条部１９，１９・・としたが、この形状に限られるものではなく、軒樋１の変位する方向を長軸とする楕円形の凹所等としたり、円形その他の形状の凹所を多数形成して、溝部８の内面８ａと係止壁面１４ａとの摩擦抵抗を低減させるものであってもよい。
【符号の説明】
【００３６】
１    軒樋
５    前面側耳部（他方の耳部）
９    後面側耳部（一方の耳部）
１０  軒樋吊具
１１  取付部
１２  軒樋支持部
１４  先端側係止部
１４ａ  係止壁面
１６  基端側係止部
１９  凹所，凹条部
Ｔ    軒先
Ｗ    鼻隠し板
【図１】
2012136903.tif 000003
【図２】
2012136903.tif 000004
【図３】
2012136903.tif 000005
【図４】
2012136903.tif 000006
【図５】
2012136903.tif 000007